Podtech/llm-jp-corpus-v4-ja_patent huggingface dataset:
(57)【要約】【課題】公知である数学の問題「メビウスの輪（またはメビウスの帯）をｎ等分する線に沿って切って分割すると、どんな形になるか？」これを実際に行うと、ｎが大きいほど複雑な形になり、元のメビウスの輪の形に復元することは困難である。（ｎは２以上の整数）【解決手段】メビウスの輪をｎ等分するｎ−１本の線をそれぞれまたぐように、ｎ−１種類の色（または模様または面の質の差）をつける。更に、目盛りをつけて、メビウスの輪を作る。色（または模様または面の質の差）と目盛りを使って、メビウスの輪の分割と復元を繰り返し楽しめる新しいパズルとすることができる。【選択図】図３
2007098070.tif 000002
【特許請求の範囲】
【請求項１】
メビウスの輪をｎ等分するｎ−１本の線をそれぞれまたぐように、ｎ−１種類の色または模様または面の質の差をつけて作ったパズルである。（ｎは２以上の整数）
【請求項２】
メビウスの輪に、目盛りをつけて作ったパズルである。
【請求項３】
請求項１・２記載のパズルの工作キット。
【発明の詳細な説明】
【技術分野】
【０００１】  本発明は、公知の立体図形であるメビウスの輪（またはメビウスの帯）の、分割と復元を何回でも繰り返し楽しむことができるパズルに関するものである。
【背景技術】
【０００２】  従来は、「メビウスの輪をｎ等分する線に沿って切って分割すると、どんな形になるか？」という公知の数学の問題について、紙テープなどを使ってメビウスの輪を作り、切ってみて終わり、というものであった。（ｎは２以上の整数）
【発明の開示】
【発明が解決しようとする課題】
【０００３】  「メビウスの輪をｎ等分する線に沿って切って分割する（以降、これを“ｎ分割”と呼ぶ）と、どんな形になるか？」この問題を実際に試した後、更に、「ｎ分割してできた形から、今度は逆に、メビウスの輪の形に復元する」という問題を設定して試し、このメビウスの輪の「分割」と「復元」を繰り返し実現できるパズルを考案すること。
【課題を解決するための手段】
【０００４】  ｎ等分するｎ−１本の線をそれぞれまたぐように、ｎ−１種類の色または模様または面の質の差（以降、これを“色質”と呼ぶ）をつけ、更に一方の端から他方の端まで目盛りをつけ、繰り返しの使用に耐え得る素材を使用して、メビウスの輪を作る。そして、ｎ分割する。元の形を保つ為の、着脱可能な例えばベルトのようなもの（以降、これを“ベルト”と呼ぶ）も作る。
【発明の効果】
【０００５】  請求項１・２において、既にｎ分割してあるのでベルトをはずせば、「メビウスの輪をｎ分割すると、どんな形になるか？」この問題を実際に試すことができる。【０００６】  請求項１・２・３において、ｎ等分する線をまたぐようにつけた色質と目盛りを使って、同じ色質どうしの同じ目盛りどうしを合わせることによって、「ｎ分割してできた形から、今度は逆に、メビウスの輪の形に復元する」この問題を実際に試すことができる。【０００７】  請求項１・２・３において、分割と復元を何回でも繰り返し楽しむことができる。【０００８】  請求項１・２・３において、色質と目盛りを見て、バラバラになったどことどこがつながるのかを、じっくり観察することができる。【０００９】  請求項１・２・３において、メビウスの輪の形に復元する方法は１通りではない。即ち、同じ色質どうしの同じ目盛りどうしを合わせなくても、復元できる。その場合、どの部分が入れ替わっているのか、あるいはずれているのかなど、じっくり観察することができる。色質と目盛りをつけたことにより、メビウスの輪の不思議な数学的性質を、視覚的に正確に把握することができる、画期的なパズルとなる。【００１０】  請求項３において、工作キットにすることにより、自分自身の手で製作できるようになる。工作や教材として活用することができる。
【発明を実施するための最良の形態】
【００１１】  本発明の実施例の形態を図１〜図３に基づいて説明する。
【実施例１】
【００１２】  図１は、２分割用メビウスの輪の実施例の展開図である。
【実施例２】
【００１３】  図２は、３分割用メビウスの輪の実施例の展開図である。
【実施例３】
【００１４】  図３は、４分割用メビウスの輪の実施例の展開図である。
【図面の簡単な説明】
【００１５】
【図１】本発明の請求項１・２・３における２分割用メビウスの輪の展開図である。
【図２】本発明の請求項１・２・３における３分割用メビウスの輪の展開図である。
【図３】本発明の請求項１・２・３における４分割用メビウスの輪の展開図である。
【符号の説明】
【００１６】模様の部分      色質を表す
【図１】
2007098070.tif 000003
【図２】
2007098070.tif 000004
【図３】
2007098070.tif 000005
(57)【要約】      （修正有）【課題】陳列棚を構成する棚板の後端に直管形蛍光ランプ等の発光光源を配置した商品陳列什器の照明装置について、ランプ交換を容易にしメンテナンス性を向上させる。【解決手段】  押出成形による蓋４を開閉自在にし、蛍光ランプ２０を蓋４の長手方向に自由に移動可能なように係合させ、点灯装置および接続器類を開閉可能な蓋に収納する。【選択図】    図４
2007098065.tif 000002
【特許請求の範囲】
【請求項１】
筐体フレームに支持板により取り付けられた複数の棚板を有する商品陳列什器に於いて、陳列棚を構成する棚板の後端に直管形蛍光ランプ等の発光光源を配置し、開閉可能な蓋に、蛍光ランプ等を固定するランプホルダーを該蓋の長手方向に自由に移動可能なように係合させ、点灯装置及び接続器類を収納されることを特徴とした商品陳列什器の照明装置。
【発明の詳細な説明】
【発明の詳細な説明】
【技術分野】
【０００１】  本発明は、デパートやショッピングセンターの、主にガラス製品、宝石、化粧品、靴等比較的外観が重視される商品の売り場等に設置され、商品の陳列表示に使用され、棚板側面に蛍光ランプを配置し、光を透過する棚板を複数設置した商品陳列什器に於いて、蛍光ランプを安定に点灯させ且つ、その光出力を有効に活用して、陳列商品の訴求効果を増大させることを目的とした商品陳列什器用の棚板照明装置に関するものである。
【背景技術】
【０００２】  棚板側面に蛍光ランプを配置し、光を透過する棚板を複数設置した商品陳列什器の棚板照明装置には、一部を除いた大部分に直管蛍光ランプを光源としている。その目的は、照明を行うことにより商品陳列什器内を周囲より明るくして陳列商品を際だたせ、購入者（消費者）への商品訴求力を向上させる為である。
顧客の使用状況により多段に設置される棚板は、筐体両端に設けられた強固な筐体フレームに取り付けられる支持板の上に載せる事で装着される。
陳列商品を載せる棚板の奥に棚板内を照射する蛍光ランプとそのソケット及び電子安定器を内蔵した照明装置がある。
以上のように従来の棚板照明では、ランプ交換の為に棚板を商品陳列什器から取り外し、更に棚板と照明器具を分解しなければランプ交換ができず、メンテナンス性に問題があった。
【発明が解決しようとする課題】
【０００３】  本発明は、陳列棚を構成する棚板の後端に直管形蛍光ランプ等の発光光源を配置した商品陳列什器の照明装置について、ランプ交換を容易にしメンテナンス性を向上させる。
【課題を解決するための手段】
【０００４】  押出成形による蓋を開閉自在にし、蛍光ランプを蓋に固定する。
【発明を実施するための最良の形態】
【０００５】  本発明は主に筐体とランプホルダーが係合した開閉自在な蓋で構成され、筐体内に接続器類、点灯装置を内蔵する。
【実施例】
【０００６】  以下に、本発明の実施例を図面を参照して説明する。押出成型された本体ケース１の両端に一対の側板２をねじ３で固定し、押出成型された蓋４のレール５にランプホルダー６係合させ、該蓋４の両端にスペーサー７をねじ３で固定し、両側板の円柱８にスペーサー７の円筒部９を挿入させることにより、円柱８を中心軸として蓋４が回転可能となり開口する。電子安定器１０を内蔵した押出成型された安定器ケース１１の爪部１２を該本体ケース１の下部の溝部１３に側面から挿入し、安定器ケース１１の両端に固定された安定器カバー１４の上部の穴１５と本体ケース１をねじ止めして固定し、ランプ出力線１６の両先端にランプソケット１７とコネクタ１８を結線し、コネクタ１８を本体ケース１の穴１９を貫通させ電子安定器１０と結線し、弾性を有したランプホルダー６にランプ２０を圧入して固定し、ランプ２０にランプソケット１７を挿入し電気的に接触させる。
棚板２１に穴を開け、本体ケース１とねじ止めする。
【発明の効果】
【０００７】  本発明により、ランプ交換が容易になりメンテナンス性が向上する。
【図面の簡単な説明】
【図１】    本発明による棚板照明装置の外観図である。
【図２】    本発明による棚板照明装置の蓋が開いた状態の外観図である。
【図３】    本発明による棚板照明装置の分解斜視図である。
【図４】    本発明による棚板照明装置の分解詳細斜視図である。
【図５】    本発明による棚板照明装置の構造断面図である。
【図６】    本発明による棚板照明装置が装着された商品陳列什器外観図である。
【符号の説明】
１  本体ケース
２  側板
３  ねじ
４  蓋
５  レール
６  ランプホルダー
７  スペーサー
８  円柱
９  円筒部
１０  安定器
１１  安定器ケース
１２  爪部
１３  溝部
１４  安定器カバー
１５  穴
１６  ランプ出力線
１７  ランプソケット
１８  コネクタ
１９  穴
２０  ランプ
２１  筐体フレーム
２２  支持板
２３  棚板
２４  本照明装置
【図１】
2007098065.tif 000003
【図２】
2007098065.tif 000004
【図３】
2007098065.tif 000005
【図４】
2007098065.tif 000006
【図５】
2007098065.tif 000007
【図６】
2007098065.tif 000008
(57)【要約】【課題】  人の意識レベルの制御工程において、集中力や感情を高めたり、逆に抑制したりする場合に、補助的に意識レベルを高めるために用いられる外的刺激方法を提供する。【解決手段】  視聴覚的刺激を与える機構と嗅覚的刺激を与える機構を同時に作動させ、視覚、聴覚、嗅覚に同時に刺激を与える段階として、専用の機器を備えた場所において、映像音楽を鑑賞しながら天然精油を嗅ぐ段階により効果的に意識レベルを高めるだけでなく、使用場所を選ばない小型の発香器具を利用し嗅覚のみに刺激を与える段階を組み合わせることで、場所を選ぶことなく二次的に意識レベルを高めることが可能となる。【選択図】    なし【特許請求の範囲】
【請求項１】
人の意識レベルの制御工程において、補助的に意識レベルを高めるために用いられる外的刺激方法であって、
視聴覚的刺激を与える機構と嗅覚的刺激を与える機構を同時に作動させ、視覚、聴覚、嗅覚に同時に刺激を与える段階と、
嗅覚的刺激を与える機構のみを作動させ嗅覚のみに刺激を与える段階、を組み合わせることからなる外的刺激方法。
【請求項２】
嗅覚的刺激を与える機構を構成する物質が、天然香草、天然香草加工物、天然精油、合成香油のうちから選ばれるひとつ以上であることを特徴とする請求項１に記載の外的刺激方法。
【発明の詳細な説明】
【技術分野】
【０００１】
本発明は、人の意識レベルの制御工程において、集中力や感情を高めたり、逆に抑制したりする場合に、補助的に意識レベルを高めるために用いられる外的刺激方法に関するものである。
【背景技術】
【０００２】
従来、いわゆるアロマテラピーと称し、天然精油や香料を嗅ぐことで、人の感情を制御できることが知られている。また、この手法を用いて、石鹸、化粧料等に着香することが広く行われている。一方で、環境ビデオと称し、テレビモニター等に映し出される映像と同時に音楽を視聴することでも人の感情を制御できることが広く知られている。
【特許文献１】特表２００２−５３２５５５号公報
【発明の開示】
【発明が解決しようとする課題】
【０００３】
従来のアロマテラピーによる嗅覚的刺激方法または環境ビデオによる視聴覚的刺激方法では、それぞれ以下のような問題点があった。
従来のアロマテラピーによる嗅覚的刺激方法では、公知である香りの心理作用が利用されているが、心理作用は個人差が大きく、初心者や第三者が香りの種類を選定する場合に必ずしも期待した効果が発現しなかったり、効果が発現するまでに時間がかかる場合があった。
一方、従来の環境ビデオによる視聴覚的刺激方法では、テレビモニター等に映し出される映像が大きいほど心理作用効果が高いが、聴覚刺激装置に比べ視覚刺激装置の可搬性が低いため、固定された視覚刺激装置を利用しなければならない制約があった。
【０００４】
この発明は、上記のような従来技術に存在する問題点に着目してなされたものである。その目的とするところは、使用場所を選ばすに意識レベルを高めることができる外的刺激方法を提案するものである。
【課題を解決するための手段】
【０００５】
上記の目的を達成するため、請求項１に記載の発明は、人の意識レベルの制御工程において、補助的に意識レベルを高めるために用いられる外的刺激方法であって、
視聴覚的刺激を与える機構と嗅覚的刺激を与える機構を同時に作動させ、視覚、聴覚、嗅覚に同時に刺激を与える段階と、
嗅覚的刺激を与える機構のみを作動させ嗅覚のみに刺激を与える段階、を組み合わせることからなる外的刺激方法である。
【０００６】
請求項２に記載の発明は、嗅覚的刺激を与える機構を構成する物質が、天然香草、天然香草加工物、天然精油、合成香油のうちから選ばれるひとつ以上であることを特徴とする請求項１に記載の外的刺激方法である。
【０００７】
本発明の人の意識レベルの制御工程とは、自己の感情をコントロール場合だけでなく、相手の感情をコントロールする場合をも含む。
【０００８】
本発明の人の意識レベルの制御工程における意識レベルを高める目的とは、集中力や感情を高める場合だけでなく、逆に抑制したりする場合をも含む。
【０００９】
補助的に意識レベルを高めるために用いられる外的刺激方法とは、主に人の五感を介し外部から提供される視覚的刺激、聴覚的刺激、嗅覚的刺激、味覚的刺激、触覚的刺激などのうち、本発明においては視覚的刺激、聴覚的刺激、嗅覚的刺激を組み合わせて若しくは単独で使用する。
【発明の効果】
【００１０】
本発明では、視聴覚的刺激を与える機構と嗅覚的刺激を与える機構を同時に作動させ、視覚、聴覚、嗅覚に同時に刺激を与える第１段階として、専用の機器を備えた場所において、映像音楽を鑑賞しながら天然精油を嗅ぐ段階により効果的に意識レベルを高めるだけでなく、使用場所を選ばない小型の発香器具を利用し嗅覚のみに刺激を与える第２段階を組み合わせることで、場所を選ぶことなく第１段階と同程度まで意識レベルを高めることができる。
【発明を実施するための最良の形態】
【００１１】
以下にこの発明を具体化した一実施形態について説明する。
【実施例１】
【００１２】
まず、視覚、聴覚、嗅覚を同時に刺激を与えるために、視聴覚的刺激を与える機構として、晩秋の高原におけるススキの群生する場所を撮影した５分間の映像と、これと同時に秋に鳴く昆虫の音が録音されたＤＶＤを用意した。さらにに嗅覚的刺激を与える機構として、キンモクセイの香りの合成香料を吸収させたセラミック焼結体を用意した。
被験者には、第１段階として、暗室において前述のＤＶＤを視聴させると共に、前述のセラミック焼結体を渡し、適宜香料の香りを嗅がせた。
【００１３】
次に、被験者には、トイレを清掃する作業を１０分間させることで緊張状態を与えた。その直後、第２段階として、嗅覚のみに刺激を与えるために前述のセラミック焼結体を渡し、適宜香料の香りを嗅がせることで、視聴覚的刺激を与える機構を必要とすることなく第１段階と同等の意識レベルまで高めることができた。
【産業上の利用可能性】
【００１４】
本発明に記載の外的刺激方法によれば、使用場所を選ばすに意識レベルを高めることができる。
(57)【要約】      （修正有）【課題】口臭の原因のひとつに舌苔がある。これは舌の表面に生ずる苔状のもので、リンパ球、上皮細胞、食物残渣等が舌乳頭の間に残り、更に、これに細菌が繁殖し、薄い白色舌苔を形成しものでる。これら舌苔を拭き取り口腔内を清潔にし口臭を防ぐことと舌磨きブラシを提供することを目的とする。【解決手段】舌磨きブラシは、柄部分１とブラシ部分２からなり。柄はブラシの基底部３に鉤型に接続、固定したものである。ブラシ部分は従来の歯ブラシの刷毛を若干短くしたものとし、ブラシ部分は上下に刷毛を有する構造とした。このブラシ部分に円筒状のパイル系の布や凹凸を有する紙４を装着し、舌を磨くように構成した舌磨きブラシで、舌苔拭き取り口臭防止用具である。【選択図】    図４
2007098084.tif 000002
【特許請求の範囲】
【請求項１】
舌クリーナーは、柄部分と歯ブラシ部分からなりこのブラシ部分にパイル系布や凸凹を有する紙を被せて舌を払拭するようにした舌クリーナーである。
【発明の詳細な説明】
【発明の詳細な説明】
【産業上の利用分野】
【０００１】  この発明は、舌の細胞や組織を全く傷めずに、かつ、簡単に舌苔を払拭する舌磨きブラシに関するものである。
【背景技術】
【０００２】  従来の舌磨き用ブラシとしては後部に把手柄を連結した略円盤状の基台に歯ブラシ状に毛を植え込んだもの、あるいは単に植毛したワイヤーをＹの字に左右に張ったものや、後部に把手柄を連結したリング状枠体の前端部の上下に舌苔掻き取り用の鍔を設けやや後方に植毛したワイヤーを張り渡したものが存在するが、いずれも製造コストが高くついたり、掻き取り効果が低い。
又、舌の細胞や組織を傷めるため味覚障害を発生させる要因となる欠点を持っている。
【発明が解決しようとする課題】
【０００３】  本願は上記のこれら欠点を解決し、製造コストが安価でしかも舌苔の拭き取り効果が高く口臭を予防し、舌の細胞や組織を傷めず味覚障害を発生させないための、舌磨きブラシを提供するものである。
【課題を解決するための手段】
【０００４】  この目的を達成するため、本発明は、柄部分と歯ブラシ部分からなり、これにパイル系の布や凹凸を有する紙をこのブラシ部分に被せ舌を磨くように構成した舌磨きブラシである。
【発明の効果】
【０００５】  本発明は、柄部分と歯ブラシ部分とからなり、このブラシ部分にパイル系の布や凹凸を有する紙を被せ舌を磨くように構成したもので、舌苔の拭き取り効果が高いこと、口臭を予防すること、舌の細胞や組織を傷めず味覚障害を発生させないことの効果がある。
【図面の簡単な説明】
【図１】  歯ブラシの側面図
【図２】  歯ブラシの部分の平面図
【図３】  歯ブラシの側面図とパイル系の布や凹凸を有する紙を被せる状況
【図４】  歯ブラシにパイル系の布や凹凸を有する紙を被せた状況
【図５】  歯ブラシの背面図
【図６】  パイル系の布
【図７】  凹凸を有する紙
【符号の説明】
１  柄部分
２  ブラシ
３  ブラシ固定部分
４  パイル系の布及び凹凸を有する紙
【図１】
2007098084.tif 000003
【図２】
2007098084.tif 000004
【図３】
2007098084.tif 000005
【図４】
2007098084.tif 000006
【図５】
2007098084.tif 000007
【図６】
2007098084.tif 000008
【図７】
2007098084.tif 000009
(57)【要約】【課題】  高齢者、病弱者が椅子又は座椅子からで立ち上がるのに非常に難渋していますが、現在提供されている構成は殆ど電動力を使用したもので、高コストのものが多く簡単に導入できない。【解決手段】  そこで手動で、自力で立ち上がり補助の出来る、本発明を提供する、本発明は低コストで製作出来るので、車椅子、便座などにも簡単に導入できる。【選択図】  図１
2007098082.tif 000002
【特許請求の範囲】
【請求項１】
椅子の脚部の上部に設置された基板と昇降可能な椅子座とを繋ぐ連結アームがある、連結アームは、基板に設けられた軸受部と、椅子座に設けられた軸部と連結さ、基板の軸受を支点として、連結アームのメタル部の長さを半径にした円運動が出来る、椅子座が基板と接触した状態から、９０度円運動した場合連結したアームのメタル部の長さの分、椅子座は昇降することになる。椅子の肘掛の下部に軸受部が設けられている、肘掛の軸受部と基板部にある軸受部とを繋ぐ連結アームがる、肘掛部の軸受部と椅子座の軸と繋ぐ連結アームがあり、計３本の連結アームによって肘掛と椅子座と基板とを三角状態で連結した構成を特徴とした昇降装置。、
【請求項２】
上記の昇降装置を複数個設け、椅子座が安定よく昇降する構成を、特徴とする椅子、座椅子、
【発明の詳細な説明】
【技術分野】
【０００１】本発明は電動力を使用する事なく、高齢者、病弱者が自力で座椅子、椅子から、立ち上がる補助に関するものである。
【背景技術】
【０００２】従来の座椅子、椅子は単なる固定式の椅子機能にすぎないので、十分な体力のない、高齢者、病弱者は非常に難儀をして立ち上がっている。
【発明の開示】
【発明ガ解決しようとする課題】
【０００３】そこで電動力を使用した立ち上がり装置付き椅子などが、提案されているが、介護度の高い高齢者又は病弱者向きの装置が多く、自力で行動できる高齢者、病弱者向きの比較的構成が簡単で、導入しやすい、装置がない。
【課題を解決するための手段】
【０００４】本発明は前記課題を解消するため、手動で立ち上がりを補助する下記の構成を採用した、普段肘掛け椅子より立ち上がる場合、肘掛けに両手をおいて立ち上がる場合が多い、そこで両手をおいて立ち上がり動作で、肘掛に圧力をかけると、梃子の原理で１００ミリ椅子座が持ちあがり、立とうとする尻下を押し上げ、立ち上がろうとする動作を補助する構成にした。
【発明の効果】
【０００５】この構成は、他力でなく自力で立ちあがり補助ができる。
【０００６】構成が簡単なので低コストで製作できる。
【発明を実施するための最良の形態】
【０００７】以下に本発明に係わる実施形態を図面に基ずいて説明する。【０００８】図１、図２は側面から見た形態である、符号１は肘掛けでその下部に基軸受部２、を設け、軸１２に連結アーム３、４の端に設けた、メタル穴と嵌合させてある、座部９、の側板１０、に連結軸７、を設け、連結アーム３、のもう一方の端のメタル穴と連結軸７、に嵌合させてある、基板８に基板軸受部６、を設け連結アーム５のアーム端のメタル穴部を、連結軸７、と基板軸受部の軸１３、に嵌合させてある。【０００９】この様な構成部を椅子の両端にある肘掛の下部と基板とを連結する様に各肘掛に２ケ所ずつ計４ケ所設けてある。【００１０】立ち上がり動作時に肘掛に手をおいて立ち上がり動作をして、尻部を浮かせば、手に掛けた圧力が連結幹３，４、にかかり座部９、を連結幹５の頂点まで持ち上げる。【００１１】座部を持ち上げた形態図が図２である。【００１２】立ち上がろうとする力を、二つに分け梃子の原理を応用して、力を有効に使用する構成である。
【図面の簡単な説明】
【００１３】
【図１】本発明の側面図
【図２】本発明の実施図
【図３】本発明の正面図
【図４】本発明の肘掛下部、軸受け部、と軸図
【図５】本発明の基板軸受け部、と軸図
【図１】
2007098082.tif 000003
【図２】
2007098082.tif 000004
【図３】
2007098082.tif 000005
【図４】
2007098082.tif 000006
【図５】
2007098082.tif 000007
(57)【要約】【課題】色彩豊かな中綿を連続した透明ビニール製袋生地に詰め込み外観意匠性を高めた多用途用生地を提供する。【解決手段】連続した袋状（１）の透明ビニールに中綿（２）を詰め込んだことを特徴とする。【選択図】    図１
2007098081.tif 000002
【特許請求の範囲】
【請求項１】
連続した袋状（１）の透明ビニールを設け、その袋毎に中綿（２）を詰め込んだ綿入り透明又は半透明ビニール生地
【発明の詳細な説明】
【発明の詳細な説明】
【技術分野】
【０００１】  この発明は、寝具・家具などの側地や敷物等、インテリア内装材及びその他の素材として、耐水性が良く、中綿の色相等を変えることにより装飾性を向上させることができる綿入り透明又は半透明ビニール生地に関するものである。
【背景技術】
【０００２】  従来は、布団などのキルト生地や織物、ニット生地などの繊維素材、革などを使用していた。
【発明が解決しようとする課題】
【０００３】  これは次のような欠点があった。
キルト生地は単にクッション性や保温性を高めるために生地に綿を詰め込んだもので、中綿の色相等による意匠性を求めることができなかった。また、その他の繊維素材や革も含め耐水性が悪かった。
本発明はこれらの欠点を解決するためになされたものである。
【課題を解決するための手段】
【０００４】  本発明は、従来のキルト加工とは異なり、予め連続した袋状（１）のビニール生地を設け、その袋毎に中綿を入れ込む手法により、インテリア内装材及びその他の素材として、耐水性が良く、中綿（２）の色相等を変えることで装飾性を向上させることができる連続袋状綿入り透明又は半透明ビニール生地に関するものである。
【発明を実施するための最良の形態】
【０００５】  以下、本発明の実施の形態について説明する。
連続した袋状（１）のビニール生地を設け、その袋毎に中綿（２）を詰め込む。
本発明は、以上のような構成で、表面の凹凸感や中綿（２）自体の色相による意匠性を発揮する。
【発明の効果】
【０００６】  中綿自体の色相等を変更することにより、生地外観の意匠性を向上できる。また、表面がビニール製の為、耐水性も向上できる。
【図面の簡単な説明】
【図１】  本発明の斜視図である。
【図２】  本発明の部分拡大図である。
【符号の説明】
（１）中綿
（２）連続した袋状
【図１】
2007098081.tif 000003
【図２】
2007098081.tif 000004
(57)【要約】【課題】柔らかい物しか食べられない、義歯安定剤を欠かせない、など食事中の不都合を解決した義歯を提供すること。【解決手段】上顎全部床義歯粘膜面に窪み１．を設け安定を保ち付着力を高める。顎堤部２．左右と顎堤粘膜との間に隙間を設け顎堤粘膜への咀嚼力を回避することによってこの課題を解決する。【選択図】図１
2007098089.tif 000002
【特許請求の範囲】
【請求項１】
上顎全部床義歯粘膜面、中央後寄りに窪みを設けたことを特徴とする義歯。
【請求項２】
床粘膜面顎堤部左右に、隙間を設けたことを特徴とする義歯。
【発明の詳細な説明】
【技術分野】
【０００１】  本発明はレジン全部床義歯に関するものであり、義歯の維持と支持に工夫を加えることによって、快適な食事ができるようにしたものである。
【背景技術】
【０００２】  従来全部床義歯の維持は、義歯床に床下粘膜、顎堤粘膜を密着させ、支持には、顎堤粘膜と歯槽骨でなされている。
【発明の開示】
【発明が解決しようとする課題】
【０００３】  よくはずれる、柔らかい物しか食べられない、義歯安定剤を欠かせない、など食事中の不都合を解決した義歯を提供することを課題とする。
【課題を解決するための手段】
【０００４】  この課題を解決するための発明は義歯粘膜面中央後寄りに深さ０．３〜０．５ミリの窪み１．を設け義歯の安定を保ち付着力を高める。顎堤部２．の左右と顎堤粘膜の間に０．２〜０．３ミリの隙間を設け顎堤粘膜への咀嚼力を回避する。
【発明の効果】
【０００５】  本発明により付着力が高まり顎堤粘膜への圧力もなくなり、面倒な義歯安定剤に頼らず、快適な食事ができる。
【発明を実施するための最良の形態】
【０００６】  図１．のように義歯は粘膜面３．を床下粘膜に密着することによって維持し、咀嚼力の支持は粘膜面３．を介して床下粘膜に伝わるが、窪み１．と隙間部２．左右にクッション効果が働き床下粘膜への圧力は大幅に緩和される。そして辺縁部４．は軽やかな運動ができるよう薄く緩めに調整する。また残存歯が１〜２本あれば２／３程度カットして利用すれば安定度はさらに高まる。なお歪み防止用金属５．は義歯材料の劣化が進むまで長期にわたって良好に保持させるためのものである。
【産業上の利用可能性】
【０００７】  本発明に係る義歯材料は、工業的に量産する事が可能であるため、産業上の利用可能性を有する。
【図面の簡単な説明】
【０００８】
【図１】  上顎全部床義歯の粘膜面平面図である。
【符号の説明】
【０００９】  １    窪み
２    顎堤部（隙間部）
３    粘膜面
４    辺縁部
５    歪み防止用金属
【図１】
2007098089.tif 000003
(57)【要約】【課題】睡眠中に頭部が自然に横向きなることで、いびきの音を抑える枕であって、平面から見た横方向の中央部と左右両側との高低差のために頸部が捻れて寝違いを起こすことのない枕を提供することである。【解決手段】平面から見た横方向の中央部を、頭部の横幅より狭い比較的硬めのクッション材で構成し、左右両側を比較的軟らかめのクッション材で、中央部と同じ高さで構成する。【選択図】図４
2007098087.tif 000002
【特許請求の範囲】
【請求項１】
平面から見た横方向の中央部を頭部の横幅より狭い、比較的硬めのクッション材で構成し、左右両側を比較的軟らかめのクッション材で、中央部と同じ高さで構成したことを特徴とする枕。
【発明の詳細な説明】
【技術分野】
【０００１】本発明は、睡眠中のいびきの発生を抑制したり、いびきの音量を低く抑える枕に関するものである。
【背景技術】
【０００２】いびきは家族など同室に就寝している人の安眠を妨げる。このいびき音は、仰向けに寝ると重力によって、軟口蓋や舌が下に落ち込んで気道が狭くなり、この狭くなった気道を空気が通り抜ける時に起こると考えられている。そのため睡眠中に気道が狭くならないようにすることが、いびきの音を低く抑える方法であり、睡眠中に頭部を横向きにすることが気道を狭くしない効果的な手段であることは知られている。【０００３】このように睡眠中に頭部を横向きにして、いびきの音を抑えるものとして、枕を平面から見た横方向の中央に、上方向へ膨出する頭部振り分け部を配設し、頭部振り分け部に頭部を載置した時、頭部が自然に横向きになる枕が考案されている。
【発明の開示】
【発明が解決しようとする課題】
【０００４】しかしながら上記構成の枕であると、膨出する頭部振り分け部と平坦部との高低差のため、頸部が捻れて寝違いを起こす場合があるという課題があった。
【課題を解決するための手段】
【０００５】上記課題を解決するため、本発明は平面から見た横方向の中央部を、頭部の横幅より狭い比較的硬めのクッション材で構成し、左右両側を比較的軟らかめのクッション材で、中央部と同じ高さで構成した枕とする。
【発明の効果】
【０００６】平面から見た横方向の中央部を、頭部の横幅より狭い比較的硬めのクッション材で構成し、左右両側を比較的軟らかめのクッション材で、中央部と同じ高さで構成した枕であるから、就寝時に中央部に頭を載せると、中央部が頭部の幅より狭いため不安定ではあるが、しばらくは仰向けの姿勢が保たれる。しかし眠りに入り意識が薄れてくると、中央部の幅の狭さによる不安定さと、左右のクッション材が中央部のクッション材に比較して軟らかいために自然に左右どちらかに頭部が傾く。さらに左右の軟らかめのクッション材は頭部の重さで沈み込むため横向きの姿勢になり、気道が確保されて、いびきの発生を抑えるという効果がある。しかも左右のクッション材の弾性により、中央部との極端な高低差が生じることがないため頸部が捻れて、寝違いが起こることがない。
【発明を実施するための最良の実施の形態】
【０００７】本発明は平面から見た横方向の中央部を、頭部の横幅より狭い比較的硬めのクッション材で構成し、左右両側を比較的軟らかめのクッション材で、中央部と同じ高さで構成した枕とする。
【実施例】
【０００８】本発明の実施の形態は、平面から見た横方向の中央部を、頭部の横幅より狭い比較的硬めのクッション材１で構成し、左右両側を比較的軟らかめのクッション材２で、中央部と同じ高さで構成したものを外装カバー内に収納して縫製した袋体４とする。硬めのクッション材１の素材としては通気性のある軟質ポリウレタンフォームの圧縮スポンジやモールド成形品でよいが、頭部を載せた時に沈み込まない程度の弾性反発力が必要である。軟らかめのクッション材２は軟質ポリウレタンフォームを切断加工したものか、ポリエステル綿が適当であるが、頭部を載せた時にゆっくり沈み込むような低反発弾性のものが望ましい。【０００９】以上のように構成した枕であるから、就寝時に中央部の硬めのクッション１の上に頭を載せると、図３の模式図で示すように中央部が頭部の幅より狭いため不安定ではあるが、しばらくは仰向けの姿勢が保たれる。しかし眠りに入り意識が薄れてくると、図４の模式図で示すように中央部の幅の狭さによる不安定さと、左右のクッション材２が中央部のクッション材１に比較して軟らかいために自然に左右どちらかに頭部が傾く。さらに左右の軟らかめのクッション材２は頭部の重さでゆっくり沈み込むため、横向きの姿勢になり、気道が確保されて、いびきの音の発生を抑える。しかも左右両側は、図４の模式図で解るように中央部との極端な高低差が生じることがないため頸部が捻れて、寝違いが起こることがない。
【図面の簡単な説明】
【図１】本発明の実施形態の外観を示す平面図
【図２】図１のＡ−Ａ線方向の断面を模式的に示す断面図
【図３】就寝直後の頭部の状態を模式的に示す、図１のＡ−Ａ線方向の断面図
【図４】睡眠中の頭部の状態を模式的に示す、図１のＡ−Ａ線方向の断面図
【符号の説明】
１  硬めのクッション材
２  軟らかめのクッション材
３  頭部
４  袋体
【図１】
2007098087.tif 000003
【図２】
2007098087.tif 000004
【図３】
2007098087.tif 000005
【図４】
2007098087.tif 000006
(57)【要約】【課題】  従来の紐靴とは異なりた外観であり、なおかつ新たな機能性も兼ね備わった紐靴を提案することである。【解決手段】  従来の紐靴の多数が基本的な構成として、前方で分かれて位置する左右の甲被部において、つま先部から履き口部間に左右対になり複数、縦方向に紐穴が開けられていて、紐の締め具合により甲被部の横幅が調節可能であったが、紐穴をつま先部付近と履き口部付近で対になり複数、横方向に平行または履口部に沿って湾曲状に開けることにより紐を通した際の外観も従来とは異なり、紐の締め具合により甲被部の横幅に加え縦幅の微量の調節も可能になる。【選択図】  図４
2007098086.tif 000002
【特許請求の範囲】
【請求項１】
靴紐を備えた靴において、甲被部のつま先部付近と履き口部付近で対になった紐穴が横方向に複数開けられていることを特徴とする紐靴。
【請求項２】
請求項１記載の紐穴に、靴紐を左右それぞれ端のつま先部付近の穴２２・２５から内側に向かって通し、中央で結紐することを特徴とした紐靴。
【請求項３】
紐の締め具合・通し具合により甲被部のつま先部付近が履き口部付近に引き寄せられ、縦幅が微量の調節可能になることを特徴とした請求項１及び請求項２記載の紐靴。
【発明の詳細な説明】
【技術分野】
【０００１】  本発明は、新たな外観性と機能性を兼ね備えた紐靴に関するものである。
【背景技術】
【０００２】  従来、紐靴は甲被部においてつま先部から履き口部間に左右対になり複数、縦方向に紐穴が設けられていて、紐の締め具合により甲被部の横幅が調節可能なものが多く普及している。【０００３】  上に述べた従来の紐靴では、靴紐の通し方は様々であるが、外観性が一定である。また、横幅は調節可能であるが縦幅の調節は不可能なため、サイズの変化が著しい成長期においては短期間での買い替えを余儀なくされている。他にも靴下の厚いものでは窮屈に、薄いものでは緩く不快に感じることもある。
【発明の開示】
【発明が解決しようとする課題】
【０００４】  そこでこの発明の課題は、新たな外観性に加え、靴紐の締め具合・通し具合により、甲被部の縦幅を微量の調節ができる紐靴を提供することである。
【課題を解決するための手段】
【０００５】  本発明は上記課題を解決するために、従来の紐穴が前方で分かれて位置する左右の甲被部に、つま先部から履き口部間に左右対になり複数、縦方向に設けられている構成とは異なり、紐穴がつま先部付近と履き口部付近で対になり複数、横方向に設けられてなるよう構成する。【０００６】  そして請求項２記載のように靴紐を、左右それぞれ端のつま先部付近の紐穴２２・２５から内側に向かってジグザグ状に通し、さらに甲被開口部の下面側に位置する舌片の切り込み部分にも通し中央にて結紐する。
【発明の効果】
【０００７】  上記のように結紐することにより、従来とは異なった外観性を持つことができることのほか、締め具合・通し具合により甲被部のつま先部付近が履口部付近に引き寄せられるので靴の縦幅の微量の調整が可能となってくる。
【発明を実施するための最良の形態】
【０００８】  以下、本発明の実施の形態の一例について図面を参照して説明する。本発明の靴紐は従来のように履き口部１からつま先部２にかけて甲被開口部３が形成され、甲被開口部の下面側は舌片６により閉じることができる構成に変わりはないが、紐穴が図１のように左右で対になり縦方向にあけられている従来のものとは異なり、図２のように甲被部の履き口部１付近とつま先部２付近で対になり、複数横方向にあけられているのが特徴である。紐穴の数は甲被開口部３を挟み、左右のつま先部付近にそれぞれ２箇所から３箇所、履き口部付近にも２箇所から３箇所の、計８箇所から１２箇所中央よりに設けられているのが好ましい。【０００９】  また紐穴を履き口部の輪郭に沿って湾曲状に設けることにより、結紐した際に履き口が足首により密着するので、図３のように紐穴が設けられているのも良い。【００１０】  紐の通し方は多々考えられるが、一実施例として図４のように左右それぞれ端のつま先部付近の穴２２・２５から通し始め、２２から１８へ、２５から２１へ、１８から２３へ、２１から２４へ、２３からは舌片中央の切り込み部７を通してから２０へ、２４からも同様に切り込み部７を通し１９へ通し結紐すると外観的にも好ましく、紐の通し具合・閉め具合により縦幅の微量の調節が可能になってくる。【００１１】  上記のように結紐した靴を履き激しい動作をした場合に、左右の甲被５・４が外側に引っ張られ開口部３が広がりやすくなってしまう恐れがあるので、左右甲被の間が短くなっていて開口部３のできるだけ狭いものであるのが好ましい。【００１２】  甲被の厚みは、紐をきつく通し縦幅の調節をより可能なものにするのであれば薄い方がよいが、その機能性を問わず外観性を重視するのであれば厚いものでもよい。
【図面の簡単な説明】
【００１３】
【図１】従来の紐靴の平面図
【図２】本発明の紐靴の平面図（基本的な位置に開けられた紐穴）
【図３】本発明の紐靴の平面図（湾曲状に開けられた紐穴）
【図４】本発明の紐靴の一実施例の平面図
【符号の説明】
【００１４】  １．履き口部  ２．つま先部  ３．甲被開口部  ４．右甲被  ５．左甲被
６．舌片  ７．舌片切り込み部  ８〜１７・１８〜２５．紐穴  ２６．靴紐
【図１】
2007098086.tif 000003
【図２】
2007098086.tif 000004
【図３】
2007098086.tif 000005
【図４】
2007098086.tif 000006
(57)【要約】      （修正有）【課題】  口臭の原因のひとつに舌苔がある。これは舌の表面に生ずる苔状のもので、リンパ球、上皮細胞、食物残渣等が舌乳頭の間に残り、更にこれに細菌が繁殖し、薄い白色舌苔形成しものでる。これら舌苔を拭き取り口腔内を清潔にし口臭を防ぐことを目的とする。【解決手段】  パイル系の布や凹凸を有する紙３を、ヘッドである楕円柱２に装着し、舌を磨くようにしたもので、舌苔を拭き取るとともに口臭を防止する用具である。【選択図】    図５
2007098083.tif 000002
【特許請求の範囲】
【請求項１】
舌クリーナは、楕円柱（ヘッド）部分と柄部分からなり、楕円柱（ヘッド）は柄の接合部分の一部を残し縦に２分割したものである。
楕円柱の基底部から鉤かたの柄を連結させたものである。
楕円柱（ヘッド）部分にパイル系の布や凹凸の有する紙を被せて舌を払拭するようにした舌クリーナである。
【発明の詳細な説明】
【発明の詳細な説明】
【産業上の利用分野】
【０００１】  この発明は舌の細胞や組織を全く傷めずに、かつ、簡単に舌苔を払拭する舌クリーナに関するものである。
【背景技術】
【０００２】  従来の舌クリーナとしては後部に把手柄を連結した略円盤状の基台に歯ブラシ状に毛を植え込んだもの、あるいは単に植毛したワイヤーをＹの字に左右に張ったものや、後部に把手柄を連結したリング状枠体の前端部の上下に舌苔掻き取り用の鍔を設けやや後方に植毛したワイヤーを張り渡したものが存在するが、いずれも製造コストが高くついたり、掻き取り効果が低い、又、舌の細胞や組織を傷めるため味覚障害を発生させる要因となる欠点を持っている。
【発明が解決しようとする課題】
【０００３】  本願は上記のこれら欠点を解決し、製造コストが安価でしかも舌苔の拭き取り効果が高く口臭を予防し、舌の細胞や組織を傷めず味覚障害を発生させないための、舌クリーナを提供するものである。
【課題を解決するための手段】
【０００４】  この目的を達成するため、本発明は、この舌クリーナの楕円柱（ヘッド）部分にパイル系の布や凹凸を有する紙を被せ使用する舌クリーナである。
【発明の効果】
【０００５】  本発明は、上記ようにパイル系の布や凹凸を有する紙をこの舌クリーナの楕円柱（ヘッド）部分に被せ舌苔を払拭するように構成した舌苔掻き器で、舌苔の拭き取り効果が高いこと、口臭を予防すること、舌の細胞や組織を傷めず味覚障害を発生させないことの効果がある。
【図面の簡単な説明】
【図１】舌クリーナ
【図２】舌クリーナ平面
【図３】舌クリーナ側面（左右）
【図４】舌クリーナとパイル系の布及び凹凸を有する紙との関連
【図５】舌クリーナの楕円柱部分にパイル系の布及び凹凸を有する紙を装着
【図６】パイル系の布
【図７】凹凸を有する紙（平面）
【符号の説明】
１  柄
２  半楕円柱（ヘッド）
３  パイル系の布および凹凸を有する紙
【図１】
2007098083.tif 000003
【図２】
2007098083.tif 000004
【図３】
2007098083.tif 000005
【図４】
2007098083.tif 000006
【図５】
2007098083.tif 000007
【図６】
2007098083.tif 000008
【図７】
2007098083.tif 000009
(57)【要約】【課題】  従来のゴルフのティーショットでティーの柱がボールの真下にあることで、ティーの抵抗でクラブヘッドの抜けが悪く、かつ、ボールが小さく見えることでティショットの不安が生じる。  本発明はティーショット時に不安感を取り除くと同時にボールの方向性を良くし飛距離を伸ばすことを目的とするゴルフのティーである。【解決手段】  ティーの柱をボールの外周側に設置することでボールが大きく見え、且つクラブヘッドがボールに当たってからティーの柱に当たるまでの時間が従来の約倍の時間をようすることで、結果ボールの方向性の正確度と飛距離のアップにもつながることが可能となる。【選択図】  図１
2007098085.tif 000002
【特許請求の範囲】
【請求項１】
ティーの抵抗を少なくし、ボールの方向性と飛距離を向上させた、ゴルフクラブでボールを打つときにボールを乗せるゴルフのティー。
【請求項２】
ゴルフボールとティーの重心関係でティーの柱を外周よりに移動した請求項目１記載のティーの抵抗を少なくし、ボールの方向性と飛距離を向上させた、ゴルフクラブでボールを打つときにボールを乗せるゴルフのティー。
【発明の詳細な説明】
【技術分野】
【０００１】  本発明は、ゴルフボールをティーアップするためのティーにボールの方向性と飛距離の向上を工夫をしたティーに関するものである。
【背景技術】
【０００２】  従来のテーは、ボールの真下に位置するようにティーの柱が存在する。このためゴルフラブでボールを打った後にティーにクラブヘッドが当たる時間が短く、クラブの抜けに抵抗感があった。
【発明の開示】
【発明が解決しようとする課題】
【０００３】  これは次の欠点があった。
ゴルフのティーショット時にクラブヘッドがボールに当たってからティーの柱がボールの真下に位置することでクラブの抜けが悪く方向性と飛距離が落ちる。  また、ボールの真下にティーがあることでボールが半分半分に打ち手から見え、不安感がある。本発明は、以上のような欠点を失くす為になされたものである。
【課題を解決するための手段】
【０００４】  ティーショット時にクラブヘッドがボールに当たるボールの側面と反対側の側面の位置の外周よりに位置する場所にティーの柱を配置させるようにティーの構造をすることで、クラブヘッドがボールに当たってから、ティーの柱に当たる時間が従来のボールの真下にティーがあるより、倍の時間がかかることでクラブヘッドが振り抜いた状態でティーに当たる。結果、クラブヘッドの抵抗感が少なくなり、方向性と飛距離が伸びる。  また、アドレスした時にボールの全体が円状に見え、さらにボール自体が大きく見えることで打出しの不安が少なくなる。
本発明は、以上の構成よりゴルフボールの方向性と飛距離を向上させたゴルフのティー。
【発明を実施するための最良の形態】
【０００５】  以下、本発明の実施の形態について説明する。【０００６】  ティーの柱をボールをボールの一番円周の大きい外周の位置付近に設置し、そのティーの柱よりボールの中心側にボールが安定するギリギリの位置までボールの受け皿を延長させて設置する。【０００７】  このティーの柱とボールが始めて接する地点をボールの接点の一つとし、ボールを安定させるためと、クラブヘッドの抜けを良くするためにこの接点から一体化形成のボールの安定板をボールがこのティーから落下しないギリギリの位置まで延長させる。【０００８】  これを使用する時は、本発明品の上にボールをのせてティーショットをする。【０００９】  そうすると次の要領でボールが飛んで行く。
従来のティーの柱の場所が違うことで、クラブヘッドの抜けが良くなり結果、ボールの飛び出す方向性が良くなり安定したボールが打てるようになる。
【発明の効果】
【００１０】  本発明品を使いティーアップする。  そしてティーショットを打てば、方向性が良くなり、ボールが曲がりにくく飛距離も伸びる。
【００１１】  ティーショット時にティーアップされたボールの全景が丸く大きく見えることで、不安が少なく安心してボールを打てる。
【発明を実施するための最良の形態】
【００１２】  以下、本発明の実施の形態を図に基づいて説明する。【００１３】  図１において、ボールが乗るティーの全体図【００１４】  図１において、ボールをクラブヘッドで打ったときにティーに接する時間が従来のティーの倍の時間がかかることで、クラブスピードが最大に上がったときにティーに接することが出来、振りぬきやすくなる。
【図面の簡単な説明】
【００１５】
【図１】本発明の真横からの図。
【図２】本発明の真上からの透視図。
【符号の説明】
【００１６】１  ボール
２  ボールの打出し方向
３  ボールの受け皿
４  ティーの柱とボールの受け皿の結合部分
５  ティーの柱部分
６  地中
７  クラブヘッド
【図１】
2007098085.tif 000003
【図２】
2007098085.tif 000004
(57)【要約】      （修正有）【課題】ハーネスのウエストベルトで胴体に装着し、フットベルトでももの付け根に固定して、作業する時の腰・ひざ・足首等の負担を軽減する補助椅子を提供する。【解決手段】臀部下に配置されるハーネス座板１と、該ハーネス座板下部中央に設けられたポール２と、前記ハーネス座板１に体を固定する固定手段とより構成される。【選択図】図１
2007098094.tif 000002
【特許請求の範囲】
【請求項１】
臀部下に配置されるハーネス座板と、該ハーネス座板下部中央に設けられたポールと、前記ハーネス座板に体を固定する固定手段とより構成される万能一本足作業椅子。
【請求項２】
ポールの長さを調整する長さ調整機構を備えたことを特徴とする請求項１記載の万能一本足作業椅子。
【発明の詳細な説明】
【技術分野】
【０００１】  本発明は、ハーネスをウエストベルトで胴体に装着し、フットベルトでももの付け根に固定して、作業する時の腰・ひざ・足首等の負担を軽減する補助椅子に関するものである。
【背景技術】
【０００２】  従来、作業用のカートとして、直径１８センチ程のタイヤが四輪付いて、その上に座板が付いたものとか、更に座板が蓋になった物入れが付いたもの等数種類の可動式からなるものがあった。
【発明の開示】
【発明が解決しようとする課題】
【０００３】  そのために、次のような問題点があった。
（イ）  このカート類は全体が大きく、幅５１・奥行３０．５・高さ２８．５ｃｍと、他の種類も大体同じように大きすぎるので、花壇や菜園等で植物が密集しているような場所での使用は不可能である。
（ロ）  大きなタイヤが付いているので傾斜面では勝手に動いてしまいそう。
（ハ）  一番の欠点は何れも座面が高すぎて、草取りや野菜の収穫時等に深く屈み込まなくては手が届きにくく非常に使い勝手が悪かった。
本発明は、これらの問題点を解決するためになされたものである。
【課題を解決するための手段】
【０００４】  ハーネス座板（１）の下部に作業目的に合う高さのポール（２）を設け、ハーネス座板（１）を身体に固定する固定手段を設ける。本発明は以上のような構成より成る万能一本足作業椅子である。
【発明の効果】
【０００５】  両足と椅子との三点で体重を支えるので、下半身の疲労が軽減できる。両手を使わずに何処にでも移動できるので、土いじりの他にもポール（２）を複数本つなぐと下記のように色々と利用可能であり、足を取り外せばコンパクトになるので携帯にも便利である。
（イ）野外でのバーベキューの時、子供の運動会、少年野球その他スポーツ観戦。
（ロ）各種チケット購入等の行列に長時間並ぶ時。
（ハ）学校の授業時の椅子の代わり。この際、バランスをとることにより次の効果が知られている。スイスの学校における椅子を教室から排除した事例として椅子の代わりに健康体操用のバランスボールを使用することで、子供たちの姿勢が良くなり、常にバランスを取るので足を使い、血液の流れが促進され集中力が増し、成績が上がったことが知られており、同様の効果が本発明においても実現する。
【発明を実施するための最良の形態】
【０００６】  以下、本発明の実施の形態について説明する。
本発明は、ハーネス座板（１）と、該ハーネス座板（１）下部中央に設けられたポール（２）と、前記ハーネス座板（１）に体を固定する固定手段とより構成されている。
ハーネス座板（１）は臀部下に置くものであり、腿の当たる左右前部がゆるいカーブ形状に切りかかれている。
固定手段としては、左右の腿に固定するために、ハーネス座板（１）中央前部に三角リング取付ベルト（４）が設けられている。この開放端には三角リング（３）が設けられており、この三角リング（３）から左右にそれぞれゴム製フットベルト（６）が設けられている。各ゴム製フィットベルト（６）の他端には面ファスナー（８）が設けられており、ハーネス座板（１）の左右側辺に設けられたフットベルト受け（７）の面ファスナー（８）に長さ調整できるように着脱固定されるようになっている。
また、ハーネス座板（１）の左右背面には背部ベルト（９）が設けられている。背部ベルト（９）の先端には開閉可能なリング（１０）が設けられている。このリング（１０）に長さ調整ベルト（１１）がそれぞれ設けられている。長さ調整ベルト（１１）の下部には前記リング（１０）をそれぞれ取り付け位置調整できるようにループ部が二つ構成されている。左右の長さ調整ベルト（１１）の上端はウエストベルト（３）背部にそれぞれ固定されている。ウエストベルト（３）は前部に着脱機構を有するものである。
ポールは図２に示すようにハーネス座板（１）に設けられたボルト付きの丸座金（１２）に螺設される上ボルト穴が上部に設けられており、下部には接続ボルトと螺設される下ボルト穴が設けられている。接続ボルト（１３）は、ポール（２）下部の下ボルト穴と上部で螺設されるとともに、ポール（２）上部の上ボルト穴に下部で螺設されるものである。そして、順次接続ボルト（１３）でポール（２）が接続できるようになっている。また、最下部の下ボルト穴には底面がフラット状のアジャスター（１４）が螺設されている。
本発明は以上の構成よりなる。
本発明を使用するときは、使用目的に応じてポール（２）を接続し、最下部にアジャスター（１４）を取り付ける。
ハーネス座板（１）を臀部下の適当な位置にあて、ゴム製フットベルト（６）で両足の付け根付近に固定する。
また、ウエストベルト（３）を腰の適当な位置にあて、ウエストベルト（３）を固定する。これにより、手を使うことなく、本発明を腰に装着でき、移動も可能となる。
しゃがむ作業においては両足とポール（２）でバランスが保てる位置にし、その姿勢で作業をおこなう。
【図面の簡単な説明】
【０００７】
【図１】  本発明の斜視図
【図２】  本発明の要部説明図
【図３】  本発明の正面図
【図４】  本発明の背面図
【図５】  本発明の展開図
【符号の説明】
【０００８】  １  ハーネス座板
２  ポール
３  ウエストベルト
４  三角リング取付ベルト
５  三角リング
６  ゴム製フットベルト
７  フットベルト受け
８  面ファスナー
９  背部ベルト
１０  リング
１１  長さ調整ベルト
１２  丸座金
１３  接続ボルト
１４  アジャスター
【図１】
2007098094.tif 000003
【図２】
2007098094.tif 000004
【図３】
2007098094.tif 000005
【図５】
2007098094.tif 000006
【手続補正書】
【提出日】平成17年12月8日(2005.12.8)
【手続補正１】
【補正対象書類名】図面
【補正対象項目名】全図
【補正方法】変更
【補正の内容】
【図１】
2007098094.tif 000007
【図２】
2007098094.tif 000008
【図３】
2007098094.tif 000009
【図４】
2007098094.tif 000010
【図５】
2007098094.tif 000011